【事件の表示】
　特許第５７９７７６２号発明「仮想キー入力手段の背景画面コンテンツ提供方法およびシステム」の特許異議申立事件について、次のとおり決定する。
【結　論】
　特許第５７９７７６２号の請求項１ないし１８に係る特許を維持する。
【理　由】
第１．手続の経緯
　特許第５７９７７６２号の請求項１〜１８に係る特許についての出願は、２０１１年９月２９日（パリ条約による優先権主張外国庁受理　２０１０年１０月１４日　韓国）を国際出願日とする出願であって、平成２７年８月２８日にその特許権の設定登録がされ、その特許に対して、平成２８年３月９日に特許異議申立人　堀　久美子により特許異議の申立てがされたものである。
第２．本件特許発明
　本件特許第５７９７７６２号の請求項１〜１８の特許に係る発明（以下、それぞれ「本件特許発明１」ないし「本件特許発明１８」という。）は、それぞれ、その特許請求の範囲の請求項１ないし１８に記載された次の事項により特定される次のとおりのものである
「【請求項１】
　タッチユーザインタフェースを支援する情報通信端末上で仮想キー入力手段に背景画面を提供する仮想キー入力手段の背景画面コンテンツ提供方法において、
　前記情報通信端末で仮想キー入力手段入力器を選択するステップと、
　選択された仮想キー入力手段入力器を透明スキン入力器として生成するステップと、
　前記仮想キー入力手段入力器の背景画面コンテンツを選択し、背景スキンとして生成するステップと、
　前記透明スキン入力器と背景スキンとを合成するステップと、
　前記仮想キー入力手段入力器の背景画面コンテンツについて個人用であるか否か及びビジネス用として開放されるか否かが選択されるステップと、を含み、
　前記背景画面コンテンツが個人用であると選択されている場合、前記情報通信端末内に具備された個人用背景画面コンテンツＤＢから個人用背景画面コンテンツが読み出されて、当該個人用背景画面コンテンツが前記背景スキンとして生成され、
　前記背景画面コンテンツがビジネス用として開放されるものと選択されている場合、ビジネス用背景画面コンテンツＤＢサーバからビジネス用背景画面コンテンツが前記情報通信端末にダウンロードされて、当該ビジネス用背景画面コンテンツが前記背景スキンとして生成されることを特徴とする
　仮想キー入力手段の背景画面コンテンツ提供方法。
【請求項２】
　前記仮想キー入力手段入力器を選択するステップは、
　仮想キー入力手段入力器の使用言語を選択するステップと、
　キー入力方式を選択するステップと、
　仮想キー入力手段入力器の形状を選択するステップとを含むことを特徴とする
　請求項１に記載の仮想キー入力手段の背景画面コンテンツ提供方法。
【請求項３】
　前記仮想キー入力手段入力器の背景画面コンテンツを背景スキンとして生成するステップは、
　背景画面コンテンツを検索するステップと、
　背景画面コンテンツを開示するステップと、
　背景画面コンテンツを選択するステップと、
　前記情報通信端末の物理的特性に合わせて、選択された背景画面コンテンツを仮想キー入力手段入力器の背景スキンとして生成するステップとを含むことを特徴とする
　請求項１に記載の仮想キー入力手段の背景画面コンテンツ提供方法。
【請求項４】
　前記選択された背景画面コンテンツを仮想キー入力手段入力器の背景スキンとして生成するステップは、
　背景画面コンテンツを仮想キー入力手段入力器の大きさに合わせて整形化するステップと、
　前記情報通信端末の解像度に合わせて背景画面コンテンツの解像度を調整するステップとを含むことを特徴とする
　請求項３に記載の仮想キー入力手段の背景画面コンテンツ提供方法。
【請求項５】
　前記透明スキン入力器と背景スキンとを合成するステップは、
　前記背景スキンを情報通信端末のディスプレイ上の仮想キー入力手段入力器領域にロードするステップと、
　前記仮想キー入力手段入力器の透明スキン入力器をロードして前記背景スキンと合成するステップとを含むことを特徴とする
　請求項１に記載の仮想キー入力手段の背景画面コンテンツ提供方法。
【請求項６】
　前記個人用背景画面コンテンツＤＢを構成するステップをさらに含み、
　前記個人用背景画面コンテンツＤＢを構成するステップは、
　背景画面コンテンツを情報通信端末のメディア処理器で作成するステップと、
　作成された背景画面コンテンツをＤＢに格納するステップとを含むことを特徴とする
　請求項１に記載の仮想キー入力手段の背景画面コンテンツ提供方法。
【請求項７】
　前記個人用背景画面コンテンツは、写真、絵またはアニメーションを含むことを特徴とする
　請求項１に記載の仮想キー入力手段の背景画面コンテンツ提供方法。
【請求項８】
　前記ビジネス用背景画面コンテンツＤＢを構成するステップをさらに含み、
　前記ビジネス用背景画面コンテンツＤＢを構成するステップは、
　背景画面を情報通信端末用コンテンツ形式で制作するステップと、
　制作された背景画面コンテンツをＤＢに格納するステップとを含むことを特徴とする
　請求項１に記載の仮想キー入力手段の背景画面コンテンツ提供方法。
【請求項９】
　前記ビジネス用背景画面コンテンツは、広告、教育または広報のコンテンツが写真、絵またはアニメーションを含むマルチメディアで表現されることを特徴とする
　請求項１に記載の仮想キー入力手段の背景画面コンテンツ提供方法。
【請求項１０】
　前記個人用背景画面コンテンツＤＢおよびビジネス用背景画面コンテンツＤＢの各々は、レコード毎に、コンテンツの名前、制作日、制作者、解像度、大きさまたは内容の属性を含むことを特徴とする
　請求項１に記載の仮想キー入力手段の背景画面コンテンツ提供方法。
【請求項１１】
　ユーザが自分の仮想キー入力手段入力器の使用環境を制御するステップをさらに含むことを特徴とする
　請求項１に記載の仮想キー入力手段の背景画面コンテンツ提供方法。
【請求項１２】
　タッチユーザインタフェースを支援する情報通信端末上で仮想キー入力手段に背景画面を提供する仮想キー入力手段の背景画面コンテンツ提供システムにおいて、
　前記情報通信端末上に表示される仮想キー入力手段入力器を透明スキン入力器として生成する透明スキン入力器生成手段と、
　前記仮想キー入力手段入力器の背景画面コンテンツを選択し、選択された背景画面コンテンツを背景スキンとして生成する背景スキン生成手段と、
　前記透明スキン入力器と背景スキンとを合成するスキン合成手段とを備え、
　前記仮想キー入力手段入力器の背景画面コンテンツについて個人用であるか否か及びビジネス用として開放されるか否かが選択される背景画面制御手段と、を含み、
　前記背景スキン生成手段は、
　前記背景画面コンテンツが個人用であると選択されている場合、前記情報通信端末内に具備された個人用背景画面コンテンツＤＢから個人用背景画面コンテンツが読み出して、当該個人用背景画面コンテンツを前記背景スキンとして生成し、
　前記背景画面コンテンツがビジネス用として開放されるものと選択されている場合、ビジネス用背景画面コンテンツＤＢサーバからビジネス用背景画面コンテンツを前記情報通信端末にダウンロードして、当該ビジネス用背景画面コンテンツを前記背景スキンとして生成することを特徴とする
　仮想キー入力手段の背景画面コンテンツ提供システム。
【請求項１３】
　前記透明スキン入力器生成手段は、前記仮想キー入力手段入力器の使用言語、キー入力方式、形状を選択し、選択された仮想キー入力手段入力器を透明スキンとして生成することを特徴とする
　請求項１２に記載の仮想キー入力手段の背景画面コンテンツ提供システム。
【請求項１４】
　前記背景スキン生成手段は、背景画面コンテンツを仮想キー入力手段入力器の大きさに合わせて整形化し、情報通信端末の解像度に合わせて背景画面コンテンツの解像度を調整することを特徴とする
　請求項１２に記載の仮想キー入力手段の背景画面コンテンツ提供システム。
【請求項１５】
　前記スキン合成手段は、前記背景スキンを情報通信端末のディスプレイ上の仮想キー入力手段入力器領域にロードし、前記透明スキン入力器をロードして透明スキン入力器と背景スキンとを合成することを特徴とする
　請求項１２に記載の仮想キー入力手段の背景画面コンテンツ提供システム。
【請求項１６】
　前記個人用背景画面コンテンツは、写真、絵またはアニメーションを含むことを特徴とする
　請求項１２に記載の仮想キー入力手段の背景画面コンテンツ提供システム。
【請求項１７】
　前記ビジネス用背景画面コンテンツは、広告、教育または広報のコンテンツが写真、絵またはアニメーションを含むマルチメディアを含むことを特徴とする
　請求項１２に記載の仮想キー入力手段の背景画面コンテンツ提供システム。
【請求項１８】
　前記個人用背景画面コンテンツＤＢおよびビジネス用背景画面コンテンツＤＢの各々は、レコード毎に、コンテンツの名前、制作日、制作者、解像度、大きさまたは内容の属性を含むことを特徴とする
　請求項１２に記載の仮想キー入力手段の背景画面コンテンツ提供システム。」
　
第３．特許異議申立人の主張の概要
　特許異議申立人は、証拠として下記の甲第１号証〜甲第６号証を提出し、以下のように主張している。
　
ア．取消理由１−１（特許法第２９条１項３号）
　請求項１〜３、５、７〜９、１１、１２、１３、１５〜１７に係る発明は、下記の甲第１号証に記載された発明であって、請求項１〜３、５、７〜９、１１、１２、１３、１５〜１７に係る発明についての特許は、特許法第２９条第１項３号の規定に違反してされたものである。 
イ．取消理由１−２（特許法第２９条第２項）
　請求項４、６、１０、１４、１８に係る発明は、下記の甲第１号証に記載の発明に、甲第４号証に記載された技術事項、及び周知の技術を適用して、当業者が容易に発明をすることができたものであって、請求項４、６、１０、１４、１８に係る発明についての特許は、特許法第２９条第２項の規定に違反してされたものである。 
ウ．取消理由２−１（特許法第２９条第２項）
　請求項１〜１８に係る発明は、下記の甲第２号証、または甲第３号証に記載の発明に、甲第１、４〜６号証に記載された技術事項、及び周知の技術を適用して、当業者が容易に発明をすることができたものであって、請求項１〜１８に係る発明についての特許は、特許法第２９条第２項の規定に違反してされたものである。 
　　　　　　　　　　　　　　　　記
甲第１号証：国際公開公報２００９／０１２３２６号明細書及び抄訳文 
甲第２号証：Ａｎｄｒｏｉｄ用日本語入力ソフト「Ｓｉｍｅｊｉ４」の開発者によるインターネット記事、平成２２年５月２５日、
　　　　　　http://www.adamrocker.com/blog/299/simeji4.html
甲第３号証の１、２：　 Ａｎｄｒｏｉｄ用日本語入力ソフト「Ｓｉｍｅｊｉ４」に関する日経コンピュータのインターネット記事、平成２２年５月２６日、
　　　　　　http://itpro.nikkeibp.co.jp/article/NEWS/20100526/348485/?rt=nocnt、
　　及び　　http://itpro.nikkeibp.co.jp/article/NEWS/20100526/348485/?ST=android・devP=2rt=nocnt（但し、「・」は半角である。）
甲第４号証：　米国特許公開公報２００９／０１８３０９８号明細書及び抄訳文
甲第５号証：　米国特許公開公報２００３／０１９７６８７号明細書及び抄訳文 
甲第６号証：　米国特許公開公報２００９／０２７００７８号明細書及び抄訳文 
　　
第４．甲号証の記載事項
１．甲第１号証の記載事項
　甲第１号証は、本件特許に係る出願の優先日前に頒布された刊行物であって、図面とともに、次の事項が記載されている。（翻訳は特許異議申立人による「抄訳文」と、引用例１の公表公報である特表２０１０−５３３９２５号公報の記載に基づく。また、下線は当審において付加した。以下、同じ。）
（１）「[0002] The present invention relates generally to mobile computer systems, and more particularly to personalizing and branding the layout and functionality of keypads on mobile devices.」
（訳：[0002]　
本発明は
モバイルデバイス上のキーパッドのレイアウトおよび機能を個人化し、ブランド化することに関する
　
（２）「[0049] In an embodiment, the mobile device may be configured with software so users may change the theme of their mobile device 10, including the keypad 20. The ability to customize the theme of the keypad 20 to match the theme implemented on the display and the menu improves the user experience since the entire mobile device is themed (not just the display and ring tones). FIG. 10 illustrates example method steps that may be implemented in an embodiment for changing the theme of the keypad 20. The process of applying a theme to the keypad may be implemented using an application 200. Once an application 200 for changing the keypad 20 theme is started, step 500, that application can send a keypad configuration instruction to the keypad protocol 206, step 502. This configuration instruction may include graphics files (or pointers to graphic files stored in memory) to be implemented in applying the theme to the keypad 20. The keypad protocol 206 receives the keypad configuration instruction, step 504, and processes the data, step 506. The keypad protocol 206 then sends the keypad configuration instructions to the keypad driver 208, step 512. The keypad configuration instructions provided to the keypad driver 208 may include the graphics to be displayed on the keypad as wells as key identifiers that the keypad driver 208 can use to inform the keypad protocol 206 when particular keys are pressed. Upon receiving the keypad configuration instructions, step 512, the keypad driver 208 configures the keypad 20, step 514. Thus, the keypad driver may configure the keypad to display images associated with the theme according to the configuration instructions received from the keypad protocol 206, step 516. When keys are then pressed, the keypad 20 reports the key press events to the keypad protocol 206 through the keypad driver 208 consistent with the key configuration (e.g., assigned functionality) defined by the application 200.」
（訳：[0049]　
 一実施形態では、モバイルデバイスは、ユーザが、キーパッド２０を含む、自身のモバイルデバイス１０のテーマを変更することができるように、ソフトウェアで構成できる
。ＦＩＧ．１０に、キーパッド２０のテーマを変更するための一実施形態において実装される例示的な方法ステップを示す。キーパッドにテーマを適用するプロセスは、アプリケーション２００を使用して実装できる。ステップ５００で、キーパッド２０のテーマを変更するためのアプリケーション２００が開始されると、ステップ５０２で、そのアプリケーションはキーパッド構成命令をキーパッドプロトコル２０６に送信することができる。この構成命令は、キーパッド２０にテーマを適用する際に実装されるグラフィックファイル（またはメモリに記憶されたグラフィックファイルへのポインタ）を含むことができる
。したがって、ステップ５１６で、キーパッドドライバは、キーパッドを、キーパッドプロトコル２０６から受信された構成命令に従ってテーマに関連付けられたイメージを表示するように構成することができる
（３）「[0053] FIG. 12A provides an example of a mobile device 10 equipped with a touchscreen user- interface 410 displaying virtual keys 412 configured as numerals for a cell phone application. An example of the spider theme implemented as the background of the touchscreen user- interface 410 is illustrated in FIG. 12B. Alternatively, users may select to change each virtual key 412 to appear as spider webs, as shown in FIG. 13.」
（訳：[0053]　
 ＦＩＧ．１２Ａに、セルフォン適用例用の数字として構成された仮想キー４１２を表示するタッチスクリーンユーザインターフェース４１０を装備したモバイルデバイス１０の一例を示す。タッチスクリーンユーザインターフェース４１０の背景として実装されたクモのテーマの一例をＦＩＧ．１２Ｂに示す。代替的に、ユーザは、ＦＩＧ．１３に示すように、クモの巣として出現するように各仮想キー４１２を変更することを選択することができる
（４）「[0055] In another embodiment, the size of the numbers or letters that appear on a keypad 20 may be changed according to users' preferences or selections. In this embodiment, the mobile device is configured with software so users can change the color, size, font, format, language or orientation of the numbers, symbols or letters that appear on a keypad 20. For example, users with weak eye sight can enlarge the numbers that appear on the keypad 20 to facilitate their use of the mobile device. FIG. 15 illustrates example steps for changing the size of numbers displayed on a keypad 20. The process of changing the size of numerals displayed on the keypad may be implemented using an application 200. Once an application 200 for changing the size of numbers on the keypad 20 is stared, step 600, the application can present a menu to users to allow them to select a desired font size. Upon receiving the user input, the key sizing application 200 can send a keypad configuration instruction to the keypad protocol 206, step 502. This configuration instruction may include font size data or graphics files which the keypad protocol 206 can use to change the key display font. The keypad protocol 206 receives the keypad configuration instruction, processes the data and sends the instruction to the keypad driver 208 as described above with reference to FIG. 10 for steps 502-510. The keypad driver 208 receives the keypad configuration instruction and configures the keypad 20, as described above with reference to FIG. 10 for steps 512-514. The keypad 20 displays keypad labels in the new font size, step 602.」
（訳：[0055]　別の実施形態では、キーパッド２０上に出現する数字または文字のサイズを、ユーザの選好または選択に従って変更することができる。
本実施形態では、モバイルデバイスは、ユーザがキーパッド２０上に出現する数字、シンボルまたは文字の色、サイズ、フォント、形式、言語または配向を変更することができるように、ソフトウェアで構成される
（５）「[0060] In another embodiment, the mobile device may be configured with software so the keypad 20 provides advertisement space on which companies may advertise their products or services to the users. Such advertising may be provided by the service provider for the mobile device, third parties, or selected and uploaded by the user. For example, the keypad 20 may be configured to designate a key that will either direct the user to an advertiser or show the advertisement contents on the mobile device display 13. FIG. 19 illustrates an embodiment network that advertisers may use to direct their advertisements to users' mobile devices 10. As shown, an advertisement owner 700 may contract with an advertisement agency 702. The advertisement agency 702 creates advertisement content and in turn may contract with a mobile device service carrier 703 to transmit the advertisement to the mobile device 10 for display on the designated keys of the keypad 20. Alternatively, an advertisement owner 700 may contract with a mobile device service carrier 703 directly. In a third alternative, the advertising agency 702 or advertisement owner 700 may transmit ads to the mobile device 10 using the cellular data network operated by the service carrier 703. The transmission of advertisements to the mobile device 10 may be  accomplished using wireless or cellular data networks 704 or any other available modes of transmitting the advertisement data to a mobile device 10.」
（訳：[0060]　別の実施形態では、モバイルデバイスは、キーパッド２０が、会社が自社の製品またはサービスをユーザに広告することができる広告スペースを与えるように、ソフトウェアで構成できる。そのような広告は、モバイルデバイスのサービスプロバイダ、サードパーティによって提供されるか、またはユーザによって選択され、アップロードされる。たとえば、キーパッド２０は、ユーザを広告主に向けるか、またはモバイルデバイスディスプレイ１３上に広告コンテンツを示すキーを指定するように構成できる。
ＦＩＧ．１９に、広告主が自身の広告をユーザのモバイルデバイス１０に向けるために使用する一実施形態のネットワークを示す。図示のように、広告所有者７００は広告代理店７０２と契約を結ぶ。広告代理店７０２は、広告コンテンツを作成し、今度は、キーパッド２０の指定されたキーに表示する広告をモバイルデバイス１０に送信するためにモバイルデバイスサービス通信事業者７０３と契約を結ぶ。代替的に、広告所有者７００は直接モバイルデバイスサービス通信事業者７０３と契約を結ぶことができる。第３の代替例では、広告代理業者７０２または広告所有者７００は、サービス通信事業者７０３によって運用されるセルラーデータネットワークを使用してモバイルデバイス１０に広告を送信することができる
（６）「[0062] Using the various embodiments, a mobile device 10 equipped with a display keypad 400 can be configured to designate a key 402 as advertisement space with the key allocated a function (i.e., the function implemented when the key is pressed) that allows users to receive advertisement content or purchase the product or service  associated with the advertisement. For example, the advertisement content may include information about advertiser's business, specials, sales or coupons. The mobile device service carrier may sell the advertisement space to generate revenue and to inform their users of available service, or may use the advertisement space to advertise its own services. The advertisement can be changed periodically as carriers and advertisers may prefer. In the example shown in FIG. 21, the mobile device may be configured with software so abbreviated advertisement content is linked to a particular key 402 designated as the advertisement key which in this example is the display key number 3. Abbreviated advertisement information may be the word AD as shown in FIG. 21 for example, or another symbol, number, word or logo that can inform the users about the availability of an advertisement. Using a display keypad 400, the image presented on the ad key 402 may also be a graphic or picture. The mobile device may be configured with software so that upon pressing the key 402 designated for advertisement, the full advertisement content may be shown on the display 13. The keypad 20 may be configured to designate several keys 402 for advertisement. The display of advertisements and advertisement on one or more keys 402 may be provided at all times or only when the mobile device 10 is idle (i.e., is running an application requiring user input or engaged in a cellular telephone call).」
（[0062]： 
様々な実施形態を使用して、ディスプレイキーパッド４００を装備したモバイルデバイス１０は、広告スペースとしてキー４０２を指定するように構成でき、そのキーには、ユーザが広告コンテンツを受信すること、あるいは広告に関連する製品またはサービスを購入することを可能にする機能（すなわち、キーが押下されると実施される機能）が割り当てられる
広告コンテンツは、広告主の事業、特価品、特売品またはクーポンに関する情報を含むことができる
省略された広告情報とは、たとえば、ＦＩＧ．２１に示す「ＡＤ」という単語、または広告が利用できることをユーザに知らせることができる別のシンボル、数字、単語またはロゴである
ディスプレイキーパッド４００を使用して、広告キー４０２上に提示されるイメージはグラフィックまたは写真とすることもできる
（７）「[0063] Similarly, as shown in FIG. 22, a mobile device 10 including a touchscreen 410 may be configured to include advertisement space on or relating to a virtual advertisement key 1200. Abbreviated advertisement content may appear on the advertisement key 1200. The mobile device may be configured with software so users may view the full advertisement content on the display 13 by pressing the virtual advertisement key 1200. In addition to showing abbreviated advertisement content, such as the logo or name of the advertiser, the mobile device may be configured so an advertisement key 1200 can show the full content of the advertisement. Alternatively, the mobile device may be configured to include more than one virtual advertisement key 1200, as shown in FIG. 23, to make available to the user more than one advertisement simultaneously. Each advertisement key 1200 may be associated with a different merchant. The display of advertisements and advertisement keys 1200 may  be provided at all times or only when the mobile device 10 is idle (i.e., is running an application requiring user input or engaged in a cellular telephone call).」
(訳：[0063]　同様に、
ＦＩＧ．２２に示すように、タッチスクリーン４１０を含むモバイルデバイス１０は、仮想広告キー１２００上のまたはそれに関係する広告スペースを含むように構成できる。省略された広告コンテンツは広告キー１２００上に出現することができる。モバイルデバイスは、ユーザが仮想広告キー１２００を押下することによってディスプレイ１３上で完全な広告コンテンツを閲覧することができるように、ソフトウェアで構成できる
代替的に、モバイルデバイスは、同時に２つ以上の広告をユーザに利用可能にするために、ＦＩＧ．２３に示すように、２つ以上の仮想広告キー１２００を含むように構成できる
（８）「[0067] In the various embodiments, the mobile device may be configured with software so users can manage the advertisement stream to their mobile devices 10. The mobile device may be configured with software so users can turn on and off the advertising capabilities of their mobile devices 10. Additionally, the mobile device may be configured with software so users can choose the types of advertisement they would like to receive. For example, users may choose to receive only coupons or only coupons related to certain items on certain days of the month. Such preferences may be set within the mobile device 10 or may be communicated to a server within the service provider which can serve as a filter for advertisements transmitted to the mobile device.」
（訳：[0067]　様々な実施形態では、モバイルデバイスは、ユーザが自身のモバイルデバイス１０への広告ストリームを管理することができるように、ソフトウェアで構成できる。
モバイルデバイスは、ユーザが自身のモバイルデバイス１０の広告機能をオンおよびオフにすることができるように、ソフトウェアで構成できる
　上記甲第１号証の記載を総合すると、甲第１号証のＦＩＧ．２２に示される実施形態では、キーパッドとして「タッチスクリーン４１０」と「仮想キー４１２」からなるものを用いていることから、ＦＩＧ．２２の実施形態では、「仮想広告キー１２００」以外は、ＦＩＧ．１２Ｂの「タッチスクリーン４１０」の「仮想キー４１２」の背景にテーマが表示される実施形態のものと同一のものと認められる。
　上記甲第１号証のＦＩＧ．１２Ｂの記載によれば、「仮想キー４１２」において文字の周囲の部分は透明であると認められる。
　また、上記（５）、及びＦＩＧ．１９の記載によれば、モバイルデバイス１０に表示される広告コンテンツが遠隔サーバからネットワーク７０４を介して送信されているものと認められる。
　以上総合すると、甲第１号証には、以下の発明（以下、「甲１発明」という。）が開示されていると認められる。
「　タッチユーザインターフェイスを支援するモバイルデバイス上で仮想キーの背景にテーマを提供する方法において、
　モバイルデバイスで仮想キーの言語や形式を選択する点と、
　仮想キーの文字以外が透明に生成される点と、
　仮想キーのテーマが選択される点と、
　選択されたテーマが仮想キーの背景に表示される点、
　広告コンテンツについてユーザが自身のモバイルデバイスの広告機能をオン、オフにする点と、を備え、
　モバイルデバイス内に具備されたメモリからテーマを実装するためのグラフィックファイルが読み出され、
　広告機能をオンとすると、ネットワークを介してモバイルデバイスサービス通信事業者から送信される広告コンテンツの省略された広告コンテンツを仮想広告キーに出現させ、ユーザーが該仮想広告キーを押下することによってディスプレイ上で完全な広告コンテンツを閲覧することができる、
　仮想キーの背景画面コンテンツ提供方法。」
２．甲第２号証の記載事項
　甲第２号証は、本件特許に係る出願の優先日前に電気通信回線を通じて公衆に利用可能となったものであって、次の事項が記載されている。　
（１）甲第２号証は、android向け日本語入力アプリ「Simeji4」の利用方法に関する記載がされており、また、androidは情報通信端末向けであり、さらに、「タップ」、「フリック」と記載されており「タッチユーザインターフェース」を用いるものと認められることから、甲第３号証には、タッチユーザインターフェースを支援する情報通信端末用のアプリである「Simeji4」の利用方法に関する記載がされているものと認められる。
（２）「スキンの着せ替え機能」の欄には、スキンの一覧からスキンを選択し、ダウンロードし、インストールされると、新たなスキンが文字等及び枠線を除いて透明なソフトキーボードの背景として適用され、ソフトキーボードと合成されることが看取される。
（３）「フリップガイドのカラバリ」の欄のソフトキーボードの設定を行う画面には、「日本語（フリック）」、及び「英語（フリック）」とあり、使用言語の選択が可能なことが看取される。
　
　以上総合すると、甲第２号証には、以下の発明（以下、「甲２発明」という。）が開示されていると認められる。
「　タッチユーザインターフェースを支援する情報通信端末上でソフトキーボードの背景スキンを入れ替える背景スキン提供方法において、
　ソフトキーボードの日本語、英語の使用言語が選択される点と、
　ソフトキーボードがキートップ文字等及び枠線を除いて透明である点と、
　選択されたスキンがソフトキーボードの背景に適用される点と、
　ソフトキーボードと背景スキンが合成される点と、
　背景スキンがサーバから情報通信端末にダウンロードされる点と、を備えたソフトキーボードの背景スキン提供方法。」
３．甲第３号証の１及び２の記載事項
　甲第３号証は、本件特許に係る出願の優先日前に電気通信回線を通じて公衆に利用可能となったものであって、次の事項が記載されている。
（１）甲第３号証の１と、甲第３号証の２は、合わせて1つの記事を構成している。
（２）甲第３号証は、android向け日本語入力アプリ「Simeji4」の利用方法に関する記載がされており、また、androidは情報通信端末向けであり、さらに、「タップ」、「フリック」と記載されており「タッチユーザインターフェース」を用いるものと認められることから、甲第３号証には、タッチユーザインターフェースを支援する情報通信端末用のアプリである「Simeji4」の利用方法に関する記載がされているものと認められる。
（３）甲第３号証の１の「デザインのカスタマイズ機能を搭載」の欄には、ソフトキーボードの背景となるスキンが入れ替えられることが記載されている。
（４）甲第３号証の１の「写真４」、及び「写真５」から、テンキー、ＱＷＥＲＴＹキーが選択されること、背景スキンに対してソフトキーボードの文字等及び枠線以外が透明に生成されること、選択された背景スキンがソフトキーボードの背景に適用され、ソフトキーボードと背景スキンが合成されていることが看取される。
（５）甲第３号証の１の「デザインのカスタマイズ機能を搭載」の欄には、スキンがダウンロードされることが記載されている。
　以上総合すると、甲第３号証には、以下の発明（以下、「甲３発明」という。）が開示されていると認められる。
「　タッチユーザインターフェースを支援する情報通信端末上でソフトキーボードの背景スキンを入れ替える背景スキン提供方法において、
　ソフトキーボードのテンキー、ＱＷＥＲＴＹキー等が選択される点と、
　ソフトキーボードがキートップの文字等及び枠線を除いて透明である点と、
　選択されたスキンがソフトキーボードの背景に適用される点と、
　ソフトキーボードと背景スキンが合成される点と、
　背景スキンがサーバから情報通信端末にダウンロードされる点と、を備えたソフトキーボードの背景スキン提供方法。」
４．甲第４号証の記載事項
　甲第４号証は、本件特許に係る出願の優先日前に頒布された刊行物であって、図面とともに、次の事項が記載されている。（翻訳は、特許異議申立人による「抄訳文」に基づく。）
　
（１）「ABSTRACT  
An information handling system provides a graphical user interface for customization of a keyboard layout. Individual key sizes, shapes, icons, functions, and other characteristics can be created via the GUI. The customized layout can be stored at the information handling system in a file. The file can be accessed to create a keyboard at a touch-screen device based on the customized layout.」
（訳：要約
　
情報取扱システムは、キーボードレイアウトをカスタマイズするためのグラフィカル・ユーザ・インタフェースを提供する。個別のキーのサイズ、形状、アイコン、機能、および他の特性は、GUIを介して作成することができる。カスタマイズされたレイアウトは、情報処理システムにおいてファイル内に格納することができる。ファイルは、カスタマイズされたレイアウトに基づいて、タッチスクリーンデバイスにキーボードを作成するためにアクセスされ得る
（２）「[0015]　For purposes of this disclosure, an information handling system can include any instrumentality or aggregate of instrumentalities operable to compute, classify, process, transmit, receive, retrieve, originate, switch, store, display, manifest, detect, record, reproduce, handle, or utilize any form of information, intelligence, or data for business, scientific, control, entertainment, or other purposes. For example, an information handling system can be a personal computer, a PDA, or any other suitable device and can vary in size, shape, performance, functionality, and price. The information handling system can include memory, one or more processing resources such as a central processing unit (CPU) or hardware or software control logic. Additional components of the information handling system can include one or more storage devices, one or more communications ports for communicating with external devices as well as various input and output (I/O) devices, such as a keyboard, a mouse, and a video display. The information handling system can also include one or more buses operable to transmit communications between the various hardware components.
[0016]FIG. 1  illustrates a block diagram of an exemplary embodiment of an information handling system, generally designated at  100 . In one form, the information handling system  100  can be a computer system such as a personal computer. As shown in  FIG. 1 , the information handling system  100  can include a first physical processor  110  and a memory  112 . In an embodiment, the information handling system  100  can support multiple processors and can allow for simultaneous processing of multiple processors and support the exchange of information within the system.
[0017]　The memory  112  can be a volatile memory, such as a random access memory (RAM), or non-volatile memory such as flash memory or a hard disk. The memory  112  is configured to store application programs, such as application  120 , application  122 , and keyboard customization program  140 , and data files, such as keyboard profile  130  and keyboard profile  132 . 　・・・（以下略）・・・」
（訳：[0015]　本開示の目的のため、情報処理システムは、ビジネス、科学、制御、娯楽、または他の目的のためにいかなる形式の情報、インテリジェンス、またはデータを、分類、プロセス、送信、受信、検索、発生、スイッチ、記憶、表示、マニフェスト、検出、記録、再生、処理、または利用することが実施可能な手段またはそれらを組み合わせた手段を含むことができる。例えば、
情報処理システムは、パーソナルコンピュータ、PDA、または任意の他の適切な装置
[0016]　
図1は情報処理システム100の例示的な実施形態のブロック図である。1つの形態では、情報処理システム100は、パーソナルコンピュータ等のコンピュータシステムとすることができる。図1に示すように、情報処理システム100は、
メモリ112を含むことができる
[0017]メモリ112は、揮発性メモリ、ランダムアクセスメモリ(RAM)のような、フラッシュメモリやハードディスク等の不揮発性メモリとすることができる。
メモリ112には
キーボードプロファイル130およびキーボードプロファイル132のような、キーボードカスタマイズプログラム140、データファイルなどを記憶するように構成されている。
（３）「[0020]　In operation, the processor  110  executes computer instructions embodied in the computer readable medium represented by the memory  112 . For example, each of the applications  120  and  122  include instructions to manipulate the processor  110  to perform one or more functions, such as word processing, presentation of a game, and the like. The keyboard customization program  140  includes instructions to manipulate the processor  110  to provide a graphical user interface for customization of a keyboard layout. As used herein, the term #keyboard layout# refers to characteristics of a keyboard design, such as relative position of keys, key size, key shape, key rotational-orientation, the number or selection of keys used for the particular profile, key color, background image for the keyboard, key function, text or graphical icon associated with each key, enablement of user feedback per key touch such as audible and haptics feedback, and the like.」
（訳：[0020]　動作中において、プロセッサ110は、メモリ112等のコンピュータ可読媒体に具現化されたコンピュータ命令を実行する。例えば、アプリケーション120及び122の各々は、ワード処理、ゲームのプレゼンテーションなどの１つ以上の機能実行するプロセッサ110を操作するための命令を含む。
キーボードカスタマイズプログラム140は、キーボードレイアウトをカスタマイズするためのグラフィカルユーザインタフェースを提供するために、プロセッサ110を操作するための命令を含む。本明細書で使用する言語「キーボードレイアウト」は、キーの相対的な位置、キーのサイズ、キーの形状、キーの/回転配向、特定のプロファイルのために使用されるキーの数または選択、キーの色、キーボードの背景画像、キーの機能は、テキスト又は各キーに関連付けられた図形アイコン等のキーボードのデザイン、音、及び皮膚感覚のフィードバック等のキータッチ毎のユーザのフィードバックの有効化等を指す
（４）「[0021]　In operation, the keyboard customization program  140  provides an interface for keyboard customization via the display  104  and/or the touch-screen display unit  106 . In one method of embodiment, a keyboard layout is displayed via the display  104  and the layout can be manipulated via the touch-screen display unit  106  by a user. Thus, the user can change the arrangement of keys in the keyboard, change the shape, size, rotational-orientation, color of individual keys, assign alphanumeric characters, names or graphic icons to keycaps, assign particular functions to keys, place a background image on the layout, provide for a particular type or intensity of feedback (e.g. audible or haptic feedback) and otherwise manipulate the keyboard layout.」
（訳：[0021]　
動作において、キーボードカスタマイズプログラム140は、ディスプレイ104および/またはタッチスクリーン表示部106を介してキーボードをカスタマイズするためのインターフェースを提供する。実施形態の１つの方法では、キーボードのレイアウトは、ディスプレイ104を介して表示され、レイアウトは、ユーザによってタッチスクリーン表示部106を介して操作することができる。これにより、ユーザは、キーボードのキーの配置を変更し、形状、大きさ、回転方向、個々のキーの色を変更し、キーキャップに英数字、名前やグラフィックアイコンを割り当て、キーに特定の機能を割り当て、レイアウトに背景画像を配置し、特定のタイプまたはフィードバックの強さ(例えば、可聴または触覚フィードバック)を提供し、及びそれ以外のキーボードレイアウトの操作を行うことができる
（５）「[0022]　Individual keyboard layouts can be stored in keyboard profiles, such as keyboard profile  130  and keyboard profile  132 . Thus, the keyboard customization program  140  can provide an option to save a particular layout. In response to the selection of this option, the keyboard customization program  140  instructs the processor  110  to store information representative of the created layout in a keyboard profile.」
（訳：[0022]　
個々のキーボードレイアウト、キーボードプロファイル130及びキーボードプロファイル132などのキーボードプロファイルに記憶することができる。このように、キーボードカスタマイズプログラム140は、特定のレイアウトを保存するオプションを提供することができる。このオプションの選択に応答して、キーボードのカスタマイズプログラム140は、キーボードプロファイルの作成されたレイアウトを格納する示す情報を格納するようにプロセッサ110に命令する
　以上総合すると、甲第４号証には、以下の技術事項（以下、「技術事項１」という。）が開示されていると認められる。
「タッチユーザインターフェイスを支援する情報通信端末上で仮想キーボードを構成する方法において、情報通信端末内に具備されたメモリに格納された背景画像を読み出しキーボードの背景とし、情報通信端末のプロセッサを用いてキーボードレイアウトをカスタマイズし、該カスタマイズされたキーボードレイアウトを情報通信端末のメモリに格納すること。」
５．甲第５号証の記載事項
　甲第５号証は、本件特許に係る出願の優先日前に頒布された刊行物であって、図面とともに、次の事項が記載されている。（翻訳は特許異議申立人による「抄訳文」の記載に基づく。）
（１）「[0007]　In view of the foregoing, the present invention provides a virtual keyboard displayed on a touch sensitive screen that enables a user to do touch-typing thereon to enter textual data into a computer. The virtual keyboard has a combination of features that facilitates #ten-finger# touch-typing as if using a regular physical keyboard. Specifically, to enable a user to type directly on the touch sensitive screen, the keyboard image has the standard key layout of physical keyboards or typewriters. The keys of the virtual keyboard are arranged and sized to allow the ten fingers of the user to take the positions necessary for typing in the standard fashion. The keyboard image is made semi-transparent and superimposed or #alpha-blended# with a background image (such as a user interface window of an application running on the computer) so that the keyboard image and the background image may be displayed and viewed simultaneously. This allows the user to view interface images created by an application while entering textual data by touch-typing on the virtual keyboard. To enhance the visibility of the semi-transparent keyboard image over the background image, the individual keys of the virtual keyboard are displayed with shaded edges to mimic the three-dimensional look of real keys on a physical keyboard. Moreover, a sound is generated each time a touch on a key of the virtual keyboard is detected to indicate that a keystroke has been made.」
（訳：[0007]　前述に鑑みて、本発明は、ユーザがブラインドタッチを行うテキストデータをコンピュータに入力するすることを可能にする、タッチスクリーンに表示された仮想キーボードを提供する。通常の物理的なキーボードを用いたかのように、仮想キーボードは１０本の指のタッチ・タイピングを容易にする特徴が組み合わさられる。具体的には、ユーザは、タッチセンシティブスクリーン上で直接入力できるようにするために、キーボード画像は、物理的なキーボードやタイプライタの標準キーレイアウトを有している。仮想キーボードのキーは、ユーザの１０本の指が標準的な方法でタイピングに必要な位置をとることができるように寸法決めされている。
キーボード画像は半透明とされ、キーボード画像と背景画像とが同時に見ることができるように、背景画面(コンピュータ上で動作するアプリケーションのユーザインターフェース画面等に)重畳または「アルファブレンド」される
（２）「[0029]　In accordance with a feature of a preferred embodiment, the keyboard image of the virtual keyboard is a semi-transparent image superimposed on or blended with a second image that is hereinafter referred to as the background image. The keyboard and background images are blended together in a manner such that each image is distinctively recognizable. The background image may be a user interface window of an application that the user is running on the computer 100. For example, the application may be a spreadsheet application, with the interface window representing a spreadsheet. As another example, the application may be an email program, with the interface window showing an e-mail message received by the user. The user can view the e-mail message displayed on the screen 148 and then use the virtual keyboard to compose a response.」
（訳：[0029]　
好適な実施形態によれば、仮想キーボードのキーボード画像は、以下、背景画像と言う第２の画像と重ねられる、又はブレンドされる半透明の画像である。キーボード画像と背景画像は、各画像が識別可能なようにブレンドされている
（３）「[0036]　FIG. 4 is a flow chart that illustrates the operation of the virtual keyboard of FIG. 3. First, the image data of the virtual keyboard is fetched from the memory (step 194). A background image, which may be generated by an application or the operating system, is also provided (step 196). The two images are then combined, or blended, based on the transparency value of the keyboard image (step 198), and the combined image is displayed on the touch sensitive screen (step 200). During the typing process, a contact of the touch sensitive screen is registered, and the location of the contact is determined (step 202). The location is then analyzed to determine whether the contact location corresponds to one of the keys of the virtual keyboard, i.e., whether the contact location falls within one of the key images (step 204). If so, the particular key indicated by the contact is determined (step 206). A sound is generated to indicate that a keystroke has been received (step 208). Also, to indicate that a particular key has been selected, the image of that key is altered (step 210). A signal is also sent to the application the user is running to indicate the key that has been actuated (step 212).」
（訳：[0036]　ＦＩＧ．４は、ＦＩＧ．３の仮想キーボードの動作を示すフローチャートである。
まず、仮想キーボードの画像データが、メモリからフェッチされる(ステップ194)。アプリケーションまたはオペレーティングシステムによって生成され得る背景画像もまた提供される(ステップ196)。次いで２つの画像が透明度値に基づいて合成又はブレンドされ(ステップ198)、前記合成画像が、タッチセンシティブスクリーンに表示される(ステップ200)
　以上総合すると、甲第５号証には、以下の技術事項（以下、「技術事項２」という。）が開示されていると認められる。
「半透明なキーボード画像と背景画像の２つの画像が重畳されること。」
６．甲第６号証の記載事項
 甲第６号証は、本件特許に係る出願の優先日前に頒布された刊行物であって、図面とともに、次の事項が記載されている。（翻訳は特許異議申立人による「抄訳文」の記載に基づく。）
（１）「[0001]　The present invention relates to a method and a system for automatically reconfiguring a keypad according to the use of a terminal, and more particularly to a method of configuring a keypad of a terminal, a terminal configured thereby, a system including such the terminal, and a reconfigurable keypad, in which the keypad of the terminal is reconfigured such that a touch panel reconfigured according to personal taste and convenience is available even when a terminal from the same manufacturer is used, and various character input schemes are supported such that a user can perform an input operation in a desired input scheme irrespective of which manufacturer manufactured the terminal.」
（訳：[0001]　本発明は、端末の用途に応じて自動的に端末のキーパッドを構成する方法及びシステムに関し、より具体的には、端末のキーパッドを構成し、それによって端末を構成する方法、そのような端子を含むシステム、及び再構成可能なキーパッドに関し、
同じ製造者から端末が使用される場合であっても、個人の嗜好や利便性に応じてタッチパネルが構成されるように端末のキーパッドが構成され、どの製造者が端末を製造したかに関わらず、ユーザが所望の入力スキームにおいて入力操作を行うことができる
（２）「[0084]　That is, according to a keypad configuration file executed in the file execution unit  430 , the keypad  440  applied to a folder type mobile terminal can display a keypad configuration in which the existing key button form is maintained and a specific image is in the background, as illustrated in  FIG. 8 , and can display a keypad configuration in which a key button layout is changed adaptively to implement a corresponding application when a game, music, a moving picture or the like is reproduced in the terminal, as illustrated in  FIGS. 9 and 10 . Further, as illustrated in  FIG. 11 , the keypad  440  can display a keypad configuration that has a key button layout in a shortcut key form using an icon, a character, etc. Moreover, as illustrated in  FIGS. 12 and 13 , the keypad  440  can display a keypad configuration with a key button layout of new fonts, other country characters, Korean characters, etc.」
（訳：[0084]　つまり、
ＦＩＧ．８に図示されるように、ファイル実行部430で実行されるキーパッド構成ファイルによれば、携帯端子に適用されるキーパッド440は、既存のキーボタンの形式を維持し、特定の画像を背景にしたキーパッドの構成を表示することができ、ＦＩＧ．９、１０に図示されるように、ゲーム、音楽、動画などを、端末において再生される場合、キーボタンのレイアウトが対応するアプリケーションを実装するために適応的に変更されたキーパッドの構成を表示することができる。また、ＦＩＧ．１１に示すように、キーパッド440は、アイコン、文字等を使用して、ショートカットキー形式でキーボタンのレイアウトを有するキーパッド構成を表示することができる。さらに、ＦＩＧ．１２及びＦＩＧ．１３に示すように、キーパッド440は、新しいフォント、他の国の文字、ハングル文字等のキーボタンレイアウトを備えたキーパッド構成を表示することができる
　以上総合すると、甲第６号証には、以下の技術事項（以下、「技術事項３」という。）が開示されていると認められる。
「タッチユーザインターフェイスを支援する情報処理端末上でキーパッドを再構築する方法において、キーボタンのレイアウトが言語やアプリケーションに応じて適宜変更されること。」
第５．対比・判断
ア．取消理由１−１（特許法第２９条１項３号）について
（ア）本件特許発明１について
　本件特許発明１と甲１発明とを対比すると以下のとおりである。
ａ．甲１発明の「モバイルデバイス」、及び「仮想キー」は、本件特許発明１の「情報通信端末」、及び「仮想キー入力手段」に相当する。
　また、甲１発明の「方法」は、「モバイルデバイス上で仮想キーの背景にテーマを提供」し、「テーマ」を「仮想キーの背景」に表示するものであり、甲１発明の「テーマ」が表示される「仮想キーの背景」は、本件特許発明１の「背景画面」に相当する。
　したがって、甲１発明の「方法」は、本件特許発明１の「タッチユーザインタフェースを支援する情報通信端末上で仮想キー入力手段に背景画面を提供する仮想キー入力手段の背景画面コンテンツ提供方法」に相当する。
　
ｂ．甲１発明の「モバイルデバイスで仮想キーの言語や形式を選択する点」は、「言語や形式」に応じた「仮想キー」を選択することであるから、本件特許発明１の「情報通信端末で仮想キー入力手段入力器を選択するステップ」に相当する。
　
ｃ．甲１発明の「仮想キーの文字以外が透明に生成される点」は、選択された「言語や形式」に応じた「仮想キー」を透明にすることであるから、本件特許発明１の「選択された仮想キー入力手段入力器を透明スキン入力器として生成するステップ」に相当する。
　
ｄ．甲１発明の「仮想キーのテーマが選択される点」及び「選択されたテーマが仮想キーの背景に表示される点」は、「選択」された「テーマ」が「仮想キーの背景に表示される」ものであり、「テーマ」は「仮想キー」の大きさ等に合うように生成されるものと認められることから、本件特許発明１の「仮想キー入力手段入力器の背景画面コンテンツを選択し、背景スキンとして生成するステップ」に相当する。
ｅ．また、甲１発明の「選択されたテーマが仮想キーの背景に表示される点」は、「テーマ」を「仮想キーの背景に表示」するためには、「仮想キーの文字以外が透明に生成され」ものと、「テーマ」を「仮想キー」の大きさ等に合わせたもの、を合成するものと認められることから、本件特許発明１の「透明スキン入力器と背景スキンとを合成するステップ」に相当する。
ｆ．甲１発明の「広告機能」は、「広告コンテンツの省略された広告コンテンツを仮想広告キーに出現させ、ユーザーが該仮想広告キーを押下することによってディスプレイ上で完全な広告コンテンツを閲覧す」るものであるから、甲１発明の「広告コンテンツ」は、「テーマ」ではなく「仮想キー」の背景に表示されるものではないが、「ディスプレイ」に表示され、「広告」であるからビジネス用であるとは認められる。
　また、甲１発明におて、「モバイルデバイス内に具備されたメモリからテーマを実装するためのグラフィックファイルが読み出され」ることは個人用に行われていると認められるが、甲１発明の「広告機能をオン、オフ」することと、該個人用に「グラフィックファイルが読み出され」ることができることとの関係は不明である。
　してみれば、甲１発明の「広告コンテンツについてユーザが自身のモバイルデバイスの広告機能をオン、オフにする点」と、本件特許発明１の「仮想キー入力手段入力器の背景画面コンテンツについて個人用であるか否か及びビジネス用として開放されるか否かが選択されるステップ」は、「ビジネス用のコンテンツを用いるか否か切り替えるステップ」の点で共通する。
ｇ．また、甲１発明の「モバイルデバイス内に具備されたメモリからテーマを実装するためのグラフィックファイルが読み出され」と、本件特許発明１の「前記背景画面コンテンツが個人用であると選択されている場合、前記情報通信端末内に具備された個人用背景画面コンテンツＤＢから個人用背景画面コンテンツが読み出されて、当該個人用背景画面コンテンツが前記背景スキンとして生成され」は、「前記情報通信端末内に具備された記憶装置から個人用背景画面コンテンツが読み出されて、当該個人用背景画面コンテンツが前記背景スキンとして生成され」の点で共通する。
ｈ．さらに、甲１発明の「ネットワークを介してモバイルデバイスサービス通信事業者から送信される広告コンテンツの省略された広告コンテンツを仮想広告キーに出現させ、ユーザーが該仮想広告キーを押下することによってディスプレイ上で完全な広告コンテンツを閲覧することができる」と、本件特許発明１の「前記背景画面コンテンツがビジネス用として開放されるものと選択されている場合、ビジネス用背景画面コンテンツＤＢサーバからビジネス用背景画面コンテンツが前記情報通信端末にダウンロードされて、当該ビジネス用背景画面コンテンツが前記背景スキンとして生成される」は、「ビジネス用のコンテンツを用いるとされている場合は、ビジネス用画面コンテンツＤＢサーバからビジネス用画面コンテンツが前記情報通信端末にダウンロードされて、当該ビジネス用画面コンテンツが表示用データとして生成される」の点で共通する。
　そうすると、両者は、
「タッチユーザインタフェースを支援する情報通信端末上で仮想キー入力手段に背景画面を提供する仮想キー入力手段の背景画面コンテンツ提供方法において、
　前記情報通信端末で仮想キー入力手段入力器を選択するステップと、
　選択された仮想キー入力手段入力器を透明スキン入力器として生成するステップと、
　前記仮想キー入力手段入力器の背景画面コンテンツを選択し、背景スキンとして生成するステップと、
　前記透明スキン入力器と背景スキンとを合成するステップと、
　ビジネス用のコンテンツを用いるか否か切り替えるステップと、を含み、
　前記情報通信端末内に具備された記憶装置から個人用背景画面コンテンツが読み出されて、当該個人用背景画面コンテンツが前記背景スキンとして生成され、
　ビジネス用のコンテンツを用いるとされている場合、ビジネス用画面コンテンツＤＢサーバからビジネス用画面コンテンツが前記情報通信端末にダウンロードされ、当該ビジネス用画面コンテンツが表示用データとして生成される、
　仮想キー入力手段の背景画面コンテンツ提供方法。」 
の点で一致し、少なくとも次の点で相違する。
＜相違点＞
＜相違点１＞ 
　本件特許発明１では、「前記仮想キー入力手段入力器の背景画面コンテンツ」について「個人用であるか否か」及び「ビジネス用として開放されるか否か」が選択されるのに対して、甲１発明では、「ディスプレイ」の表示について、「個人用であるか否か」と「ビジネス用として開放されるか否か」の選択ではなく、「ビジネス用」としての「広告機能」の「オン、オフ」を切り替えるものである点。
  
＜相違点２＞ 本件特許発明１では、「前記背景画面コンテンツが個人用であると選択されている場合」に、「前記情報通信端末内に具備された個人用背景画面コンテンツＤＢから個人用背景画面コンテンツが読み出されて、当該個人用背景画面コンテンツが前記背景スキンとして生成され」のに対して、甲１発明では、「テーマ」が読み出され仮想キーの背景に表示されることとが、どのような場合に行われるか特定されておらず、また、「テーマ」が読み出される「メモリ」が、「個人用背景画面」専用のものか特定されていない点。
  
＜相違点３＞ 
　本件特許発明１では、「前記背景画面コンテンツがビジネス用として開放されるものと選択されている場合、ビジネス用背景画面コンテンツＤＢサーバからビジネス用背景画面コンテンツが前記情報通信端末にダウンロードされて、当該ビジネス用背景画面コンテンツが前記背景スキンとして生成される」のに対して、甲１発明では、「広告機能」がオンの場合に、省略された広告コンテンツを仮想広告キーに出現させ、ユーザーが該仮想広告キーを押下することによってディスプレイ上で完全な広告コンテンツを表示する点。 
 
　このように、本件特許発明１は、甲１発明と少なくとも上記相違点１〜３において相違するのであり、また、これらの点が周知技術であるともいえないことから、本件特許発明１は、甲１発明、即ち、甲第１号証に記載された発明ではない。
（イ）本件特許発明２〜３、５、７〜９、１１について
　本件特許発明２〜３、５、７〜９、１１は、本件特許発明１の発明特定事項を全て含み、さらに他の発明特定事項を付加して限定したものであるから、本件特許発明２〜１７は、上記（ア）と同様の理由により、甲第１号証に記載された発明ではない。
（ウ）本件特許発明１２について
　本件特許発明１２は、本件特許発明１の「前記情報通信端末で仮想キー入力手段入力器を選択するステップ」に対応する構成は有していない点を除き、本件特許発明１の方法の発明をシステムの観点から記載したものであり、実質的に、上記＜相違点１＞から＜相違点３＞で相違していることから、上記（ア）と同様の理由により、甲第１号証に記載された発明ではない。
（エ）本件特許発明１３、１５〜１７について
　本件特許発明１３、１５〜１７は、本件特許発明１２の発明特定事項を全て含み、さらに他の発明特定事項を付加して限定したものであるから、本件特許発明１８は、上記（ア）と同様の理由により、甲第１号証に記載された発明ではない。
（オ）小括
　したがって、本件特許の請求項１〜３、５、７〜９、１１、１２、１３、１５〜１７に係る特許は、特許法第２９条第１項３号の規定に違反してされたものではない。
イ．取消理由１−２について（特許法第２９条第２項）
（ア）本件特許発明４、６、１０について
　まず、本件特許発明１と甲１発明とは、上記「ア．取消理由１−１（特許法第２９条１項３号）について」で記したように、上記相違点１〜３で相違し、上記相違点１について検討するに、甲第２号証〜甲第６号証には、「背景画面コンテンツについて個人用であるか否か及びビジネス用として開放されるか否かが選択」することは記載されていない。また、このことは周知の技術とも認められないことから、上記相違点１に係る本件特許発明１の発明特定事項は、甲１発明に基づいて、当業者が容易に採用し得たものではない。
　したがって、本件特許発明１は、当業者が甲第１〜６号証に基づいて容易に発明をすることができたものではない。
　そうすると、本件特許発明４、６、１０は、本件特許発明１の発明特定事項を全て含み、さらに他の発明特定事項を付加して限定したものであるから、本件特許発明４、６、１０は同様の理由により、当業者が引用発明に基づいて容易に発明をすることができたものではない。
（イ）本件特許発明１４、１８について
　上記「ア．取消理由１−１（特許法第２９条１項３号）について」の「（ウ）本件特許発明１２について」で記したように、本件特許発明１２と甲１発明は上記相違点１〜相違点３で相違し、上記（ア）に記したように、少なくとも相違点１について、甲第２号証〜甲第６号証には、「個人用」と「ビジネス用」で背景画面コンテンツの選択を行うことについての記載はなく、また、周知の技術とも認められないことから、甲１発明に基づいて、当業者が容易に採用し得たものではない。
　したがって、本件特許発明１２は、当業者が甲第１〜６号証に基づいて容易に発明をすることができたものではない。
　そうすると、本件特許発明１４、１８は、本件特許発明１２の発明特定事項を全て含み、さらに他の発明特定事項を付加して限定したものであるから、本件特許発明１４、１８は同様の理由により、当業者が引用発明に基づいて容易に発明をすることができたものではない。
（ウ）小括
　したがって、本件特許の請求項４、６、１０、１４、１８に係る特許は、特許法第２９条第２項の規定に違反してされたものではない。 
ウ．取消理由２−１について（特許法第２９条第２項）
（ア）本件特許発明１について
　本件特許発明１と甲２発明、または甲３発明とを対比すると以下のとおりである。
ａ．甲２、または甲３発明の「ソフトキーボード」は、本件特許発明１の「仮想キー入力手段」に相当する。また、甲２、または甲３発明の「背景」、及び「背景スキン」は、本件特許発明１の「背景画面」、及び「背景画面コンテンツ」に相当する。
　そして、甲２、または甲３発明の「背景スキン提供方法」は、本件特許発明１の「タッチユーザインタフェースを支援する情報通信端末上で仮想キー入力手段に背景画面を提供する仮想キー入力手段の背景画面コンテンツ提供方法」に相当する。
ｂ．甲２発明の「ソフトキーボードの日本語、英語の使用言語が選択」することは、「使用言語」に合った「ソフトキーボード」を選択することであるから、本件特許発明１の「情報通信端末で仮想キー入力手段入力器を選択するステップ」に相当する。
　また、甲３発明における「ソフトキーボードのテンキー、ＱＷＥＲＴＹキー等が選択」することは、「ソフトキーボード」の入力方式を選択するものであるから、本件特許発明１の「情報通信端末で仮想キー入力手段入力器を選択するステップ」に相当する。
ｃ．甲２、または甲３発明の「ソフトキーボードがキートップの文字等及び枠線を除いて透明である」における「ソフトキーボード」は、「日本語、英語の使用言語が選択」された「ソフトキーボード」と認められ、本件特許発明１の「選択された仮想キー入力手段入力器を透明スキン入力器として生成するステップ」に相当する。
ｄ．甲２、または甲３発明の「選択されたスキンがソフトキーボードの背景に適用される点」は、本件特許発明１の「仮想キー入力手段入力器の背景画面コンテンツを選択し、背景スキンとして生成するステップ」に相当する。
ｅ．甲２、または甲３発明の「ソフトキーボードと背景スキンが合成される点」は、本件特許発明１の「透明スキン入力器と背景スキンとを合成するステップ」に相当する。
ｆ．甲２、または甲３発明の「背景スキン」は「サーバから情報通信端末にダウンロードされる」ものであり、「サーバ」は背景スキンを提供する提供業者のものでもよく、提供業者から提供される「背景スキン」はビジネス用背景画面コンテンツともいい得るものであるから、甲２、または甲３発明と、本件特許発明１では、「ビジネス用背景画面コンテンツＤＢサーバからビジネス用背景画面コンテンツが前記情報通信端末にダウンロードされて、当該ビジネス用背景画面コンテンツが前記背景スキンとして生成される」の点では共通する。
　そうすると、両者は、
「タッチユーザインタフェースを支援する情報通信端末上で仮想キー入力手段に背景画面を提供する仮想キー入力手段の背景画面コンテンツ提供方法において、
　前記情報通信端末で仮想キー入力手段入力器を選択するステップと、
　選択された仮想キー入力手段入力器を透明スキン入力器として生成するステップと、
　前記仮想キー入力手段入力器の背景画面コンテンツを選択し、背景スキンとして生成するステップと、
　前記透明スキン入力器と背景スキンとを合成するステップと、
　ビジネス用背景画面コンテンツＤＢサーバからビジネス用背景画面コンテンツが前記情報通信端末にダウンロードされて、当該ビジネス用背景画面コンテンツが前記背景スキンとして生成されることを特徴とする
　仮想キー入力手段の背景画面コンテンツ提供方法。」 
 
の点で一致し、少なくとも次の点で相違する。
＜相違点＞
＜相違点４＞ 
　本件特許発明１では、「前記仮想キー入力手段入力器の背景画面コンテンツについて個人用であるか否か及びビジネス用として開放されるか否かが選択されるステップ」を有するのに対して、甲２、または甲３発明では、ビジネス用の「背景スキン」がダウンロードされるが、「背景スキン」をビジネス用として開放するものではなく、「背景スキン」を「個人用であるか否か」と「ビジネス用として開放されるか否か」を選択するものでもない点。　
  
＜相違点５＞ 
　本件特許発明１では、「前記背景画面コンテンツが個人用であると選択されている場合、前記情報通信端末内に具備された個人用背景画面コンテンツＤＢから個人用背景画面コンテンツが読み出されて、当該個人用背景画面コンテンツが前記背景スキンとして生成され」のに対して、甲２、または甲３発明では、甲２、または甲３発明では、「個人用背景画面コンテンツＤＢ」を有することが特定されておらず、個人用に「背景スキン」が読み出されるかも特定されていない点。
  
＜相違点６＞ 
　上記「当該ビジネス用背景画面コンテンツが前記背景スキンとして生成される」のが、本件特許発明１では、「前記背景画面コンテンツがビジネス用として開放されるものと選択されている場合」であるのに対して、甲２、または甲３発明では、そのような場合に特定されていない点。
　これらの相違点について検討する。
　相違点４について検討するに、甲１発明は、上記「ア．取消理由１−１（特許法第２９条１項３号）につい」で「相違点１」として記したように、「個人用であるか否か」と「ビジネス用として開放されるか否か」を選択するものではない、さらに、甲第４〜甲第６号証には、コンテンツを「ビジネス用」として用いることについて記載されておらず、また、「背景スキン」を「個人用であるか否か」と「ビジネス用として開放されるか否か」を選択することが周知の技術とも認められない。
　
　よって、上記相違点４に係る本件特許発明１の発明特定事項は、甲２発明、または甲３発明において、甲１発明、甲第４号証、乃至甲第６号証に記載の技術事項に基づいて、当業者が容易に採用し得たものではない。
　したがって、本件特許発明１は、当業者が甲２発明、または甲３発明において、甲第４号証、乃至甲第６号証に記載の技術事項に基づいて容易に発明をすることができたものではない。
（イ）本件特許発明２〜１１について
　本件特許発明２〜１１は、本件特許発明１の発明特定事項を全て含み、さらに他の発明特定事項を付加して限定したものであるから、本件特許発明２〜１１は、上記（ア）と同様の理由により、当業者が甲２発明、または甲３発明において、甲第４号証、乃至甲第６号証に記載の技術事項に基づいて容易に発明をすることができたものではない。
（ウ）本件特許発明１２について
　本件特許発明１２は、本件特許発明１の「前記情報通信端末で仮想キー入力手段入力器を選択するステップ」に対応する構成は有していない点を除き、本件特許発明１の方法の発明をシステムの観点から記載したものであり、実質的に、上記相違点４から相違点６で相違していることから、上記（ア）と同様の理由により、本件特許発明１は、当業者が甲２発明、または甲３発明において、甲第４号証、乃至甲第６号証に記載の技術事項に基づいて容易に発明をすることができたものではない。
（ウ）本件特許発明１３〜１８について
　本件特許発明１３〜１８は、本件特許発明１２の発明特定事項を全て含み、さらに他の発明特定事項を付加して限定したものであるから、本件特許発明１３〜１８は、上記（ア）と同様の理由により、当業者が甲２発明、または甲３発明において、甲第４号証、乃至甲第６号証に記載の技術事項に基づいて容易に発明をすることができたものではない。
（エ）小括
　したがって、本件特許の請求項１〜１８に係る特許は、特許法第２９条第２項の規定に違反してされたものではない。
第６．むすび
　以上のとおりであるから、特許異議申立の理由及び証拠によっては、請求項１〜１８に係る特許を取り消すことはできない。
　また、他に請求項１〜１８に係る特許を取り消すべき理由を発見しない。
　よって、結論のとおり決定する。
【異議決定日】
平成２８年７月２２日（２０１６．７．２２）